(57)【要約】      （修正有）【課題】コンセントをスライド自在に備えることができ、埃ゴミ等を遮断しトラッキング現象を防止するトラッキング現象防止箱装置を提供する。【解決手段】箱内に、コンセントとプラグを取り付け、箱に突き出し枠を備え、突き出し枠に額縁枠を備える。【選択図】図１
0003160194.tif 000002
【実用新案登録請求の範囲】
【請求項１】
箱内にコンセントとプラグを取り付け、前記コンセントをスライド自在に可能に備えたことを特徴とするトラッキング現象防止箱装置。
【請求項２】
前記箱から成る突き出し枠を備えたことを特徴とする請求項１記載のトラッキング現象防止箱装置。
【請求項３】
前記箱から成る突き出し枠に額縁枠を備えたことを特徴とする請求項１記載のトラッキング現象防止箱装置。
【請求項４】
前記箱に化粧プレ−トと化粧開閉プレ−トを備えたことを特徴とする請求項１記載のトラッキング現象防止箱装置。
【請求項５】
前記箱内に電源接続端子を備えたことを特徴とする請求項１記載のトラッキング現象防止箱装置。
【考案の詳細な説明】
【技術分野】
【０００１】本考案は電気設備に関するトラッキング現象防止箱装置に関わるものである。
【背景技術】
【０００２】従来の箱状の裏面側に突き出した枠部の奥行きのために薄壁に収まりとコンセントが奥に備えのために取出し又、プラグの差し込みが困難である等で不安と不利と不便である。
【先行技術文献】
【特許文献１】
【０００３】  特開平９−１６１９１７号公報
【考案の概要】
【考案が解決しようとする課題】
【０００４】  しかし、これでは薄壁に収まらないのとコンセントの奥行きの備えのためにプラグ取り付け取出しで不便を生じるので不便である。
【課題を解決するための手段】
【０００５】  箱内にコンセントとプラグを取り付けコンセントをスライド自在に可能に備えた。【０００６】  箱から成る突き出し枠を備えた。【０００７】  箱から成る突き出し枠に額縁枠を備えた。【０００８】  箱に化粧プレ−トと化粧開閉プレ−トを備えた。【０００９】  箱内に電源接続端子を備えた。
【考案の効果】
【００１０】  よって、本考案は箱縦形に備え箱内にコンセントにプラグを差し込んだ状態でコンセントをスライド自在に可能に備えた、又、埃ゴミ等を遮断しトラッキング現象が発生しないので火災を起きないのと家具等の配置空間も少なくなる、又、プラグが露出の状態でないので無邪気な乳幼児も親も不安を解消し安心である。
【考案を実施するための形態】
【００１１】  本考案に関わるトラッキング現象防止箱装置は図１，２，３，４，５，６，７，８に示すように箱１の内側側面にコンセント取付板４をスライド自在に備えたコンセント取付板４にコンセント５の枠の寸法を加工をしコンセント５をその枠の寸法に挿入しそのコンセント５の周りをコンセント支持板５ａで固定する。
【００１２】  箱１に案内棒兼ストッパ−４ｃ４ｄを備え、又、コンセント取付板４に案内溝４ａ４ｂを備えその案内溝４ａ４ｂに案内棒兼ストッパ−４ｃ４ｄを載せて奥まで挿入すると動かなくなるとコンセント取付板４を側面に押すとＬ字形溝４ｅ４ｆで動かなくなるとプラグ６をコンセン５に差し込む、又、コンセン５を取り外しの時そのままプラグ６を抑えて引く、又、コンセン５をスライドの時プラグ６を側面から浮６ｂかしＬ字形溝４ｅ４ｆから外れてスライド自在に成る。
【００１３】  電源接続端子７からコ−ド線支持板７ｃ間の配線を行う場合は箱内の左右下側の各隅を配線７ａ，７ｂに分けて行う、又、コ−ド線支持板７ｃからコンセント５間のコ−ド線８をスライド自在に余裕を備えた。
【００１４】  箱１に取り付ける化粧プレ−ト１１の周りにすき間テ−プを備えその化粧プレ−ト１１を取り付ける際にプラグ６をコンセント５に差し込んでから行いそのコ−ド線６ａを化粧プレ−ト１１のコ−ド線取出し口１２合わせて化粧プレ−ト１１を取り付ける、又、化粧開閉プレ−ト等１５，１６の取り付ける際にも上記化粧プレ−ト１１と同様で省略する。
【００１５】壁仕上りで壁が太鼓の状態で行う場合に箱１から成る突き出し枠１ａに額縁枠１０を備えた、突き出し枠１ａの周りの寸法を測りその寸法を壁に挿入出来るように壁加工を行い箱１を加工口に挿入し額縁枠１０を枠取付ネジ１６で取付する、又、箱１内のコンセント等の取り付けは上記００１１，００１２，００１３，００１４と同様で省略する。
【図面の簡単な説明】
【００１６】
【図１】  本考案に係わる箱から成る突き出し枠とコンセント取付板、コンセント、プラグ、電源接続端子を備えた斜視図である。
【図２】  本考案に係わる箱から成る突き出し枠に額縁枠を備えた斜視図である。
【図３】  本考案に係わる化粧プレ−トの正面図と側面図である。
【図４】  本考案に係わる化粧開閉プレ−トの正面図と側面図である。
【図５】  本考案に係わる化粧プレ−トの正面図と側面図である。
【図６】  本考案に係わる壁仕上り面に取付と壁に埋め込み状態のトラッキング現象防止箱装置正面図と側面図である。
【図７】  本考案に係わるコンセント取付板とコンセントコ−ド線コンセント支持板の斜視図と正面図である。
【図８】  本考案に係わるコンセント取付板にコンセント支持板の孔加工の平面図と側面図である。
【符号の説明】
【００１７】    １  箱（１ケ用スイッチボックス適用）１ａ  突き出し枠
１ｂ  箱取付ツメ                      １ｃ  箱取付孔
１ｄ  箱取付ツメ                      １ｅ  箱取付孔
１ｆ  箱取付孔                        １ｇ  箱取付孔
１ｈ  給電口                          １ｉ  給電口
２  化粧プレ−ト用雌ネジ            ２ａ  化粧プレ−ト用雌ネジ
３  プラグコンセント取出口            ４  コンセント取付板
４ａ  案内溝                          ４ｂ  案内溝
４ｃ  案内棒兼ストッパ−              ４ｄ  案内棒兼ストッパ−
４ｅ  Ｌ字形溝                        ４ｆ  Ｌ字形溝
５  コンセント                      ５ａ  コンセント支持板
５ｂ  電線挿入孔                      ５ｃ  電線取り外し孔
５ｄ，５ｅ  コンセント支持板とコンセント取付板の固定孔
６  プラグ                          ６ａ  コ−ド線
６ｂ  浮かし（空間）                    ７  電源接続端子
７ａ  コ−ド線                        ７ｂ  コ−ド線
７ｃ  コ−ド線支持板                    ８  コ−ド線
９  電源接続端子蓋                  １０  額縁枠
１１  化粧プレ−ト                    １２  コ−ド線取出し口
１２ａ  コ−ド線取出し口                １３  すき間テ−プ
１４  化粧プレ−ト取付ビス            １５  化粧開閉プレ−ト
１５ａ  開閉具                          １６  枠取付ネジ
【図１】
0003160194.tif 000003
【図２】
0003160194.tif 000004
【図３】
0003160194.tif 000005
【図４】
0003160194.tif 000006
【図５】
0003160194.tif 000007
【図６】
0003160194.tif 000008
【図７】
0003160194.tif 000009
【図８】
0003160194.tif 000010